(57)【要約】【課題】複数の筒状部の電線への装着作業、又は複数の筒状部の収納作業の簡便化を図ることができるスライド式防護管を提供する。【解決手段】非導電性の材料からなり、電線に装着される防護管であって、異なる径を有し、互いに挿通されてスライド可能に設けられた複数の筒状部と、複数の筒状部のうち、少なくとも１つの筒状部の延出方向の端部に設けられ、径方向に突出する突出部と、突出部を有する筒状部に取付けられた引張部材と、を有する。【選択図】図１
2018068064.tif 000002
【特許請求の範囲】
【請求項１】
非導電性の材料からなり、電線に装着される防護管であって、
異なる径を有し、互いに挿通されてスライド可能に設けられた複数の筒状部と、
前記複数の筒状部のうち、少なくとも１つの筒状部の延出方向の端部に設けられ、径方向に突出する突出部と、
前記突出部を有する筒状部に取付けられた引張部材と、を有するスライド式防護管。
【請求項２】
前記複数の筒状部のうち、最も大きい径を有する筒状部に、前記引張部材を巻き取るための巻き取り部が設けられる請求項１に記載のスライド式防護管。
【請求項３】
前記突出部を有する筒状部は、前記突出部が設けられた位置と反対側の端部において、他の筒状部の端部と当接するストッパが設けられる請求項１又は請求項２に記載のスライド式防護管。
【発明の詳細な説明】
【技術分野】
【０００１】
本発明は、スライド式防護管に関する。
【背景技術】
【０００２】
電線付近で作業を行う際に、電線からの感電等の事故を防止するために、電線に非導電性の防護管を装着することが行われている。例えば、下記特許文献１には、複数の筒状部がスライド可能に設けられているスライド式防護管が記載されている。下記特許文献１のスライド式防護管は、各筒状部をスライドさせることにより防護管全体の長さを任意に調節することができる。
【先行技術文献】
【特許文献】
【０００３】
【特許文献１】特許第５０９４１８５号公報
【発明の概要】
【発明が解決しようとする課題】
【０００４】
しかしながら、上記特許文献１に記載のスライド式防護管は、電線への装着作業の際に、ホットスティック（絶縁操作棒）などの間接活線工具を用いて複数の筒状部をスライドさせることで、スライド式防護管を任意の長さに引き延ばしている。そして、フランジ部に形成された孔に棒状部材を挿通することで複数の筒状部を固定する。また、スライド式防護管の収納作業の際には、同様に遠隔操作作業具を用いて、スライド式防護管の長さを短くする方向に複数の筒状部をスライドさせて、複数の筒状部が重なって収納される。このように、ホットスティック（絶縁操作棒）などの間接活線工具を用いて複数の筒状部をスライドさせるため、高所で移動して作業を行う場合があり、スライド式防護管の装着作業、又は収納作業が煩雑になる可能性がある。
【０００５】
本発明は、上記課題を解決して、複数の筒状部の電線への装着作業、又は複数の筒状部の収納作業の簡便化を図ることができるスライド式防護管を提供することを目的とする。
【課題を解決するための手段】
【０００６】
本発明の一態様によるスライド式防護管は、非導電性の材料からなり、電線に装着される防護管であって、異なる径を有し、互いに挿通されてスライド可能に設けられた複数の筒状部と、前記複数の筒状部のうち、少なくとも１つの筒状部の延出方向の端部に設けられ、径方向に突出する突出部と、前記突出部を有する筒状部に取付けられた引張部材と、を有する。
【０００７】
これによれば、スライド式防護管の電線への装着作業の際には、突出部を押し出すことで、筒状部をスライドさせて引き出すことができる。また、スライド式防護管の収納作業の際には、引張部材を引っ張ることで、筒状部をスライドさせて収納することができる。このように、作業者は、ホットスティック（絶縁操作棒）などの間接活線工具等の工具を用いて高所での移動を行うことなく、筒状部の付近でスライド式防護管の装着作業と収納作業を行うことができる。したがって、装着作業と収納作業の簡便化が可能である。
【０００８】
本発明の望ましい態様として、前記複数の筒状部のうち、最も大きい径を有する筒状部に、前記引張部材を巻き取るための巻き取り部が設けられる。これによれば、引張部材が巻き取り部に巻き取られるので、余分な引張部材が筒状部から垂れることを抑制できるので、作業時に引張部材が邪魔になることを抑制できる。
【０００９】
本発明の望ましい態様として、前記突出部を有する筒状部は、前記突出部が設けられた位置と反対側の端部において、他の筒状部の端部と当接するストッパが設けられる。これによれば、ストッパを設けることにより、筒状部がスライドして引き出された際に、筒状部が抜け落ちることを抑制できる。
【発明の効果】
【００１０】
本発明の一態様によるスライド式防護管によれば、複数の筒状部の電線への装着作業、又は複数の筒状部の収納作業の簡便化を図ることが可能である。
【図面の簡単な説明】
【００１１】
【図１】図１は、実施形態に係るスライド式防護管の構造を示す斜視図である。
【図２】図２は、スライド式防護管の筒状部を重ねて収納した状態を示す図である。
【図３】図３は、図２のＡ−Ａ線で切断して矢印方向から視たときの模式断面図である。
【図４】図４は、スライド式防護管を延ばした状態における、小径筒状部と中径筒状部との当接部分を示す部分拡大断面図である。
【発明を実施するための形態】
【００１２】
以下、本発明に係るスライド式防護管の実施形態について、図面を参照して詳細に説明する。なお、以下の実施形態によりこの発明が限定されるものではない。また、この実施形態の構成要素には、発明の同一性を維持しつつ置換可能かつ置換自明なものが含まれる。また、この実施形態に記載された方法、装置及び変形例は、当業者自明の範囲内にて任意に組み合わせが可能である。
【００１３】
図１は、実施形態に係るスライド式防護管の構造を示す斜視図である。図２は、スライド式防護管の筒状部を重ねて収納した状態を示す図である。図３は、図２のＡ−Ａ線で切断して矢印方向から視たときの模式断面図である。図４は、スライド式防護管を延ばした状態における、小径筒状部と中径筒状部との当接部分を示す部分拡大断面図である。なお、図１は、スライド式防護管１の使用時、すなわち、スライド式防護管１を電線４１（図１には省略して示す）に装着して延ばした場合を示す。
【００１４】
図１に示すように、本実施形態に係るスライド式防護管１は、大径筒状部２と、中径筒状部３と、小径筒状部４とを有する。大径筒状部２、中径筒状部３及び小径筒状部４は、非導電性の樹脂材料等により形成される。大径筒状部２、中径筒状部３及び小径筒状部４は、互いに異なる径を有し、図１及び図２に示すように、互いに挿通されてスライド可能に設けられている。
【００１５】
大径筒状部２は、筒部３１と、筒部３１の延出方向の両端に設けられたストッパ３４、３５とを有する。筒部３１は、両端に開口３２、３３を有する中空の略円柱形状である。ストッパ３４、３５は、筒部３１の外径よりも大きい外径を有する環状の部材である。ストッパ３４、３５は、筒部３１と一体に設けられている。なお、ストッパ３４、３５は環状の部材に限定されず、筒部３１の端部において、周方向に沿った少なくとも一部に設けられていてもよい。
【００１６】
中径筒状部３は、筒部５と、筒部５の延出方向の両端に設けられたストッパ９、１０とを有する。筒部５は、両端に開口１９、２０を有する中空の略円柱形状である。中径筒状部３の筒部５は、大径筒状部２の筒部３１よりも小さい直径を有し、筒部３１の内部に収納可能となっている。
【００１７】
ストッパ９、１０は、筒部５の外径よりも大きい外径を有する環状の部材である。ストッパ９の外径は、大径筒状部２の筒部３１の内径よりも小さく、大径筒状部２の内部に収納可能となっている。ストッパ１０は、大径筒状部２の延出方向において大径筒状部２よりも外側に配置される。
【００１８】
ストッパ１０には、ストッパ１０の外周面から径方向に突出する突出部１１が設けられている。図２に示すように、突出部１１は、大径筒状部２のストッパ３４の外周よりも径方向の外側に突出する。本実施形態では、突出部１１は、ストッパ１０と一体に設けられているが、これに限定されない。例えば、筒部５の端部において、突出部１１は、ストッパ１０と異なる位置に設けられていてもよい。
【００１９】
作業者は、大径筒状部２の延出方向に沿った第１の方向（図面の左方向）に、突出部１１を押し出すことにより、中径筒状部３をスライドさせて大径筒状部２から引き出すことができる。この際、作業者は、ホットスティック（絶縁操作棒）などの間接活線工具を用いて突出部１１を押し出してもよく、又は、絶縁性の手袋を装着して手で突出部１１を押し出してもよい。
【００２０】
小径筒状部４は、筒部２１と、筒部２１の延出方向の両端に設けられたストッパ２４、２５とを有する。筒部２１は、両端に開口２７、２８を有する中空の略円柱形状である。小径筒状部４の筒部２１は、中径筒状部３の筒部５よりも小さい直径を有し、筒部５の内部に収納可能となっている。
【００２１】
ストッパ２４、２５は、筒部２１の外径よりも大きい外径を有する環状の部材である。ストッパ２５の外径は、中径筒状部３の筒部５の内径よりも小さく、中径筒状部３の内部に収納可能となっている。ストッパ２４は、中径筒状部３の延出方向において、中径筒状部３の外側に配置される。
【００２２】
ストッパ２４には、ストッパ２４の外周面から径方向に突出する突出部３０が設けられている。図２に示すように、突出部３０は、中径筒状部３のストッパ１０の外周よりも径方向の外側に突出する。突出部３０は、ストッパ２４と一体に設けられているが、これに限定されず、ストッパ２４と異なる位置に設けられていてもよい。
【００２３】
作業者は、突出部３０を第１の方向（図面の左方向）に押し出すことにより、小径筒状部４をスライドさせて中径筒状部３から引き出すことができる。本実施形態において、突出部３０は、周方向において、突出部１１と重ならない位置に設けられている。また、突出部３０は、スリット３１ａが設けられ、突出部１１と異なる幅、形状を有する。このため、突出部１１と突出部３０との混同を抑制でき、作業者は、小径筒状部４をスライドさせる作業と、中径筒状部３をスライドさせる作業とを確実に行うことができる。
【００２４】
スライド式防護管１を電線４１（図１には省略して示す）に装着する場合には、図１に示すように、中径筒状部３及び小径筒状部４を、大径筒状部２の延出方向に沿った第１の方向（図面の左方向）にスライドさせてスライド式防護管１全体の長さを長くする。この場合、小径筒状部４の端部の一部が中径筒状部３に覆われ、中径筒状部３の端部の一部が大径筒状部２に覆われる。筒部２１、５、３１の内部に電線４１（図３参照）が収納され、電線４１への接触等による感電が抑制される。スライド式防護管１を延ばしたときの、全体の長さは、例えば約３ｍである。
【００２５】
また、図１に示すように、小径筒状部４のストッパ２５には、接続部３９ａを介して引張綱３９の一端が接続されている。引張綱３９は、中径筒状部３の筒部５と、大径筒状部２の筒部３１の内部を通って、大径筒状部２の開口３３から外部に引き出される。引張綱３９の他端側は、ストッパ３５に設けられた巻き取り部３８に巻き取られている。引張綱３９は、非導電性のロープ等であってもよい。巻き取り部３８は、例えばハンドル３８ａを回転させることで引張綱３９を巻き取ることができるリールであってもよい。引張綱３９を引っ張ることにより、小径筒状部４及び中径筒状部３を大径筒状部２の方向にスライドさせることができる。
【００２６】
これにより、図２及び図３に示すように、スライド式防護管１の不使用時には、大径筒状部２の筒部３１の内部に中径筒状部３の筒部５が収納され、中径筒状部３の筒部５の内部に小径筒状部４の筒部２１が収納される。スライド式防護管１は、不使用時において、複数の筒状部を重ねて収納してコンパクトにすることができるため、持ち運びの際に、大型の車両を用いなくとも容易に持ち運びを行うことができる。
【００２７】
次に、スライド式防護管１の電線４１への装着方法について説明する。図３に示すように、筒部２１、筒部５、筒部３１は、それぞれスリット２１ａ、スリット５ａ、スリット３１ａが設けられている。スリット２１ａ、５ａ、３１ａは、筒部２１、筒部５、筒部３１の延出方向に沿った方向に延びている。筒部２１、筒部５、筒部３１は、それぞれスリット２１ａ、５ａ、３１ａの箇所で周方向に分離されている。筒部２１、筒部５、筒部３１は、弾性変形可能となっており、スライド式防護管１を電線４１に装着する際には、スリット２１ａ、５ａ、３１ａの部分を拡げて筒部２１、筒部５、筒部３１の内部に電線４１が収納される。この際、大径筒状部２、中径筒状部３及び小径筒状部４は、図２に示すように重なった状態で電線４１に装着される。
【００２８】
なお、図１に示すように、小径筒状部４の両端に設けられたストッパ２４、ストッパ２５にもスリット２９が設けられている。スリット２９は、筒部２１のスリット２１ａ（図３参照）と連続する位置に設けられる。また、ストッパ２４に設けられた突出部３０にもスリット２９が連続して設けられる。つまり、突出部３０は、周方向においてスリット２９により分離されて配置される。同様に、中径筒状部３及び大径筒状部２の各ストッパ９、１０、３４、３５にもスリット１２、３６、３７が設けられている。なお、ストッパ２５及びストッパ９のスリットは図示を省略して示す。これにより、これらの各ストッパ２４、２５、９、１０、３４、３５も、筒部２１、筒部５、筒部３１とともに弾性変形可能となっている。
【００２９】
次に、小径筒状部４の突出部３０を、作業者が手等により押し出すことで、小径筒状部４がスライドして、中径筒状部３から引き出される。図４に示すように、小径筒状部４のストッパ２５は、筒部２１の外周よりも径方向の外側に張り出した張出部２５ａを有している。張出部２５ａは、筒部２１の延出方向と直交する面２５ｂを有する。また、中径筒状部３のストッパ１０は、筒部５の内周よりも、径方向の内側に張り出した張出部１０ａを有する。張出部１０ａは、筒部５の延出方向と直交する面１０ｂを有する。
【００３０】
図４に示すように、ストッパ２５の外径は、ストッパ１０の内径よりも大きくなっている。張出部２５ａの面２５ｂと、張出部１０ａの面１０ｂとは、少なくとも一部が対向するように設けられる。これにより、小径筒状部４がスライドして引き出される際に、張出部２５ａの面２５ｂが張出部１０ａの面１０ｂと当接して、小径筒状部４が中径筒状部３から抜け落ちることを防止できる。
【００３１】
次に、小径筒状部４が引き出された状態で、作業者が中径筒状部３の突出部１１を押し出すことで、中径筒状部３がスライドして大径筒状部２から引き出される。中径筒状部３のストッパ９（図１参照）の外径は、大径筒状部２のストッパ３４の内径よりも大きくなっている。このため、中径筒状部３のストッパ９が、大径筒状部２のストッパ３４と当接し、中径筒状部３が大径筒状部２から抜け落ちることを防止することができる。
【００３２】
このようにして、スライド式防護管１の全体の長さを、１本分の筒部２１、５、３１の長さよりも長くすることができ、連続する小径筒状部４、中径筒状部３、大径筒状部２の内部に電線４１が収納される。
【００３３】
なお、装着作業の際、小径筒状部４及び中径筒状部３をスライドさせると、引張綱３９も同時に巻き取り部３８から引き出されるようになっている。引張綱３９は、小径筒状部４に接続され、中径筒状部３及び大径筒状部２の内部に配置されるので、スライド式防護管１が引き延ばされた場合でも、外部に垂れることがない。このため、引張綱３９が作業の邪魔になることを抑制できる。引張綱３９は、図３では省略して示すが、小径筒状部４、中径筒状部３及び大径筒状部２と電線４１との間の隙間に配置される。
【００３４】
本実施形態において、小径筒状部４、中径筒状部３の順にスライドさせて装着する方法を説明したが、これに限定されない。小径筒状部４の突出部３０に、より大きな力を加えて押し出すことで、小径筒状部４をスライドさせてもよい。すなわち、小径筒状部４のストッパ２５が中径筒状部３のストッパ１０と当接して、小径筒状部４から中径筒状部３に、押し出す力が伝達される。これにより、小径筒状部４とともに中径筒状部３がスライドして大径筒状部２から引き出される。この場合、中径筒状部３の突出部１１は設ける必要がない。
【００３５】
次にスライド式防護管１を収納する際には、図１に示す小径筒状部４に接続された引張綱３９を、大径筒状部２側から引っ張る。これにより小径筒状部４は、中径筒状部３と重なるように、大径筒状部２に近づく方向にスライドする。この際、小径筒状部４のストッパ２４の外径は、中径筒状部３のストッパ１０の内径よりも大きくなっている。このため、小径筒状部４がスライドした際に、ストッパ２４がストッパ１０に当接し、小径筒状部４が、中径筒状部３から抜け落ちることが防止される。
【００３６】
さらに引張綱３９を引っ張ることで、小径筒状部４とともに中径筒状部３が大径筒状部２と重なるようにスライドする。中径筒状部３のストッパ１０の外径は、大径筒状部２のストッパ３４の内径よりも大きくなっているため、中径筒状部３のストッパ１０が大径筒状部２のストッパ３４と当接して、小径筒状部４及び中径筒状部３が大径筒状部２から抜け落ちることが防止される。このようにして、図２に示すように、大径筒状部２の内部に中径筒状部３及び小径筒状部４が収納される。
【００３７】
なお、収納作業の際、小径筒状部４及び中径筒状部３を大径筒状部２側にスライドさせることで、外部に引き出された分の引張綱３９は巻き取り部３８に巻き取られる。これにより、スライド式防護管１が収納された場合でも、引張綱３９が大径筒状部２の外部に垂れることを抑制できる。このため、引張綱３９が、作業時や、スライド式防護管１の運搬時に邪魔になることを抑制できる。
【００３８】
以上のように、本実施形態のスライド式防護管１の電線４１への装着作業の際には、突出部３０、１１を押し出すことで、小径筒状部４及び中径筒状部３を大径筒状部２からスライドさせて引き出すことができる。また、スライド式防護管１の収納作業の際には、引張綱３９を引っ張ることで、小径筒状部４及び中径筒状部３を大径筒状部２と重なるようにスライドさせることができる。このように、作業者は、ホットスティック（絶縁操作棒）などの間接活線工具等の工具を用いて高所での移動を行うことなく、大径筒状部２の付近でスライド式防護管１の装着作業と収納作業を行うことができる。したがって、本実施形態のスライド式防護管１によれば、装着作業と収納作業の簡便化が可能である。
【００３９】
以上説明したように、本実施形態のスライド式防護管１は、非導電性の材料からなり、電線４１に装着される防護管であって、異なる径を有し、互いに挿通されてスライド可能に設けられた複数の筒状部（小径筒状部４、中径筒状部３、大径筒状部２）と、複数の筒状部のうち、少なくとも１つの筒状部の延出方向の端部に設けられ、径方向に突出する突出部３０と、突出部３０を有する筒状部（小径筒状部４）に取付けられた引張部材（引張綱３９）と、を有する。
【００４０】
これによれば、スライド式防護管１の電線４１への装着作業の際には、突出部３０を押し出すことで、小径筒状部４をスライドさせて引き出すことができる。また、スライド式防護管１の収納作業の際には、引張綱３９を引っ張ることで、小径筒状部４をスライドさせて大径筒状部２及び中径筒状部３の内部に収納することができる。このように、作業者は、ホットスティック（絶縁操作棒）などの間接活線工具等の工具を用いて高所での移動を行うことなく、筒状部（大径筒状部２）の付近でスライド式防護管１の装着作業と収納作業を行うことができる。したがって、装着作業と収納作業の簡便化が可能である。
【００４１】
本実施形態のスライド式防護管１は、複数の筒状部のうち、最も大きい径を有する大径筒状部２に、引張綱３９を巻き取るための巻き取り部３８が設けられる。これによれば、引張綱３９が巻き取り部３８に巻き取られるので、余分な引張綱３９が大径筒状部２の外部に垂れることを抑制できる。したがって、作業時や運搬時に引張綱３９が邪魔になることを抑制できる。
【００４２】
本実施形態のスライド式防護管１は、突出部３０を有する小径筒状部４は、突出部３０が設けられた位置と反対側の端部において、中径筒状部３の端部と当接するストッパ２５が設けられる。これによれば、ストッパ２５を設けることにより、小径筒状部４がスライドして引き出された際に、ストッパ２５が中径筒状部３と当接する。これにより、小径筒状部４が抜け落ちることを抑制できる。
【００４３】
以上、本発明の実施形態について説明したが、この実施形態の内容によりこの発明が限定されるものではなく、適宜変更することができる。
【００４４】
例えば、スライド式防護管１は３本の筒状部を有しているが、これに限定されず、２本の筒状部であってもよく、４本以上の筒状部であってもよい。また、突出部３０は上方に突出し、突出部１１は下方に突出しているが、突出部３０及び突出部１１の突出方向、形状、大きさ等は、適宜変更することができる。巻き取り部３８は、リール状のものに限定されず、スライド式防護管１を収納した際に、余った引張綱３９をまとめて掛けるフック状の部材であってもよい。
【符号の説明】
【００４５】
１  スライド式防護管
２  大径筒状部
３  中径筒状部
４  小径筒状部
５、２１、３１  筒部
５ａ、２１ａ、３１ａ  スリット
９、１０、２４、２５、３４、３５  ストッパ
１０ａ、２５ａ  張出部
１０ｂ、２５ｂ  面
１１、３０  突出部
１９、２０、２７、２８、３２、３３  開口
４１  電線
３８  巻き取り部
３８ａ  ハンドル
３９  引張綱
【図１】
2018068064.tif 000003
【図２】
2018068064.tif 000004
【図３】
2018068064.tif 000005
【図４】
2018068064.tif 000006